【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
ミキサトラックのドラム内にあるフレッシュコンクリートの密度を、プローブを用い求める方法であり、そのドラムの回転軸が少なくとも部分的に水平方向を向いており、上記プローブが、上記ドラム内に実装され、そのドラムの径方向に延び且つそのドラムの回転に伴い周方向に運動し、そして、そのプローブに、上記ドラムの回転による上記プローブのフレッシュコンクリート内運動に因む抵抗による直交方向圧力が働き、且つ、そのプローブが上記フレッシュコンクリート内に沈潜しているときには、そのプローブの体積に因む浮力による直交方向圧力寄与分が働く方法であって、
ドラム回転中に上記ドラムの第１周方向位置にて上記フレッシュコンクリートが上記プローブに及ぼす直交方向圧力寄与分を示す、第１圧力値を受け取るステップと、
ドラム回転中に第２周方向位置にて上記フレッシュコンクリートが上記プローブに及ぼす直交方向圧力寄与分を示す、第２圧力値を受け取るステップであり、第１周方向位置と第２周方向位置とが異なるステップと、
上記プローブの体積、第１圧力値及び第２圧力値間に基づき上記フレッシュコンクリートの密度値を求めるステップと、
を有し、第１周方向位置が鉛直線に対し上記ドラムの一方の側、第２周方向位置が鉛直線に対しそのドラムの他方の側に所在し、
上記求めるステップが、その第１周方向位置の正弦値と第２周方向位置の正弦値との間の差異に対応する三角関数因子を用いるステップを含み、第１及び第２周方向位置のどちらもドラムの底部に対応していない方法。
【請求項２】
請求項１の方法であって、上記求めるステップが、三角関数因子により第１圧力値・第２圧力値間差分を補償するステップを含む方法。
【請求項３】
請求項１の方法であって、上記ドラムの頂部から測って、第１周方向位置が９０°〜１３５°、第２周方向位置が２２５°〜２７０°の範囲内にある方法。
【請求項４】
請求項１の方法であって、鉛直線を基準として第１周方向位置が第２周方向位置に対し逆側にある方法。
【請求項５】
請求項１の方法であって、上記直交方向圧力寄与分が、上記プローブの重量でありそのプローブに作用するものによっても及ぼされ、第１圧力値が、第１周方向位置における上記プローブの重量の直交方向寄与分により補償されたものであり、第２圧力値が、第２周方向位置におけるそのプローブの重量の直交方向寄与分により補償されたものである方法。
【請求項６】
請求項１の方法であって、第１圧力値を受け取る上記のステップが、所与周方向範囲に属する第１群の周方向位置のうち対応するところから第１群の圧力値を受け取るステップを含み、第１圧力値がそれら第１群の圧力値の平均値であり、第１周方向位置が、当該所与周方向範囲内にある第１群の周方向位置の平均位置である方法。
【請求項７】
請求項６の方法であって、第２圧力値を受け取る上記のステップが、所与周方向範囲に属する第２群の周方向位置のうち対応するところから第２群の圧力値を受け取るステップを含み、第２圧力値がそれら第２群の圧力値の平均値であり、第２周方向位置が、当該所与周方向範囲内にある第２群の周方向位置の平均位置である方法。
【請求項８】
請求項１の方法であって、第１回転速度でのドラム回転中に第１及び第２圧力値が計測される方法。
【請求項９】
請求項８の方法であって、更に、
第１回転速度とは異なる第２回転速度でのドラム回転中に上記ドラムの第１周方向位置にて上記フレッシュコンクリートが上記プローブに及ぼす直交方向圧力寄与分を示す、第３圧力値を受け取るステップと、
第２回転速度でのドラム回転中に第２周方向位置にて上記フレッシュコンクリートが上記プローブに及ぼす直交方向圧力寄与分を示す、第４圧力値を受け取るステップと、
第１圧力値、第２圧力値、第３圧力値、第４圧力値、第１回転速度及び第２回転速度に基づき上記フレッシュコンクリートのレオロジー特性を少なくとも一通り求めるステップと、
を有する方法。
【請求項１０】
ミキサトラックのドラム内にあるフレッシュコンクリートの密度を求めるシステムであり、そのドラムの回転軸が少なくとも部分的に水平方向を向いたシステムであって、
上記ドラム内に実装され、そのドラムの径方向に延び且つそのドラムの回転に伴い周方向に運動するプローブであり、自プローブに対し、上記ドラムの回転による自プローブのフレッシュコンクリート内運動に因む抵抗による直交方向圧力が働き、且つ、自プローブが上記フレッシュコンクリート内に沈潜しているときには、自プローブの体積に因む浮力による直交方向圧力寄与分が働くプローブと、
上記プローブと可通信結合されており、
ドラム回転中に上記ドラムの第１周方向位置にて上記フレッシュコンクリートが上記プローブに及ぼす直交方向圧力寄与分を示す、第１圧力値を受け取るステップと、
ドラム回転中に第２周方向位置にて上記フレッシュコンクリートが上記プローブに及ぼす直交方向圧力寄与分を示す、第２圧力値を受け取るステップであり、第１周方向位置と第２周方向位置とが異なるステップと、
上記プローブの体積、第１圧力値及び第２圧力値に基づき上記フレッシュコンクリートの密度値を求めるステップと、
を実行するよう構成されている情報処理装置と、
上記情報処理装置と可通信結合されており、上記フレッシュコンクリートの密度値を表示するよう構成されているユーザインタフェースと、
を備え、第１周方向位置が鉛直線に対し上記ドラムの一方の側、第２周方向位置が鉛直線に対しそのドラムの他方の側に所在し、
上記求めるステップが、その第１周方向位置の正弦値と第２周方向位置の正弦値との間の差異に対応する三角関数因子を用いるステップを含み、
第１及び第２周方向位置のどちらもドラムの底部に対応していないシステム。
【請求項１１】
請求項１０のシステムであって、上記ドラムの回転に伴い周方向に運動しているときに上記プローブに作用するそのプローブの重量を補償するよう、そのプローブが構成されているシステム。
【請求項１２】
請求項１０のシステムであって、上記求めるステップが、三角関数因子により第１圧力値・第２圧力値間差分を補償するステップを含むシステム。
【請求項１３】
請求項１０のシステムであって、鉛直線を基準として第１周方向位置が第２周方向位置に対し逆側にあるシステム。
【請求項１４】
請求項１０のシステムであって、上記直交方向圧力寄与分が、上記プローブに作用するそのプローブの重量によっても及ぼされ、第１圧力値が、第１周方向位置における上記プローブの重量の直交方向寄与分により補償されたものであり、第２圧力値が、第２周方向位置におけるそのプローブの重量の直交方向寄与分により補償されたものであるシステム。
【請求項１５】
請求項１０のシステムであって、第１圧力値を受け取る上記のステップが、所与周方向範囲に属する第１群の周方向位置のうち対応するところから第１群の圧力値を受け取るステップを含み、第１圧力値がそれら第１群の圧力値の平均値であり、第１周方向位置が、当該所与周方向範囲内にある第１群の周方向位置の平均位置であるシステム。
【請求項１６】
請求項１５のシステムであって、第２圧力値を受け取る上記のステップが、所与周方向範囲に属する第２群の周方向位置のうち対応するところから第２群の圧力値を受け取るステップを含み、第２圧力値がそれら第２群の圧力値の平均値であり、第２周方向位置が、当該所与周方向範囲内にある第２群の周方向位置の平均位置であるシステム。
【請求項１７】
請求項１０のシステムであって、第１回転速度でのドラム回転中に第１及び第２圧力値が計測されるシステム。
【請求項１８】
請求項１７のシステムであって、更に、
第１回転速度とは異なる第２回転速度でのドラム回転中に上記ドラムの第１周方向位置にて上記フレッシュコンクリートが上記プローブに及ぼす直交方向圧力寄与分を示す、第３圧力値を受け取るステップと、
第２回転速度でのドラム回転中に第２周方向位置にて上記フレッシュコンクリートが上記プローブに及ぼす直交方向圧力寄与分を示す、第４圧力値を受け取るステップと、
第１圧力値、第２圧力値、第３圧力値、第４圧力値、第１回転速度及び第２回転速度に基づき上記フレッシュコンクリートのレオロジー特性を少なくとも一通り求めるステップと、
が実行されるシステム。